(57)【要約】【課題】押圧操作により第１、第２スイッチが続いてオンとなる２段動作のプッシュオンスイッチにおいて、金属製の板バネよりなる可動接点プレートの動作特性を劣化することなく、該可動接点プレートを粘着テープにより回路基板上に固定する。【解決手段】回路基板８上の可動接点プレート１の周囲にスペーサ２０を配置し、該スペーサ２０により可動接点プレート１の周囲に、中心板部３の頂上部より低く周辺板部２より高い連続又は不連続のテープ貼り付け面２１を形成し、粘着テープ９，１９が周辺板部２に貼り付くのを防止する。粘着テープ１９は、少なくとも可動接点プレート１の周辺板部２における連結板部４，４との連設部分の間の周辺板部２に対向する箇所に非粘着部２７，２７を形成し、第１スイッチオン時に粘着テープ１９が周辺板部２に接触したとしても、粘着テープ１９が周辺板部２に貼り付くのを防止する。【選択図】図１
2005276499.tif 000002
【特許請求の範囲】
【請求項１】
金属製の板バネからなり、環状の周辺板部と上膨らみに湾曲する中心板部とこれらを繋ぐ連結板部とを有し、中心板部の押圧操作により、連結板部が下向き傾斜状に反転して回路基板の第１固定接点に接触し、続いて中心板部が下膨らみ状態に反転して回路基板の第２固定接点に接触する可動接点プレートを備え、該可動接点プレートをこの上面から貼り付ける粘着テープにより回路基板上に固定するプッシュオンスイッチにおいて、前記回路基板上の前記可動接点プレートの周囲に配置するスペーサを備え、該スペーサにより可動接点プレートの周囲に、中心板部の頂上部より低く周辺板部より高い連続又は不連続のテープ貼り付け面を形成したことを特徴とするプッシュオンスイッチ。
【請求項２】
環状のスペーサを用いて可動接点プレートの周囲に連続したテープ貼り付け面を形成する請求項１に記載のプッシュオンスイッチ。
【請求項３】
粘着テープにより覆われる環状のスペーサの内側の被覆空間と外側の被覆空間とを連通接続する空気通路を該スペーサに形成し、スペーサの外側の被覆空間を粘着テープの外部に連通する空気逃がし手段を備える請求項２に記載のプッシュオンスイッチ。
【請求項４】
複数個のスペーサを用いて可動接点プレートの周囲に不連続のテープ貼り付け面を形成する請求項１に記載のプッシュオンスイッチ。
【請求項５】
粘着テープにより覆われ、複数のスペーサの間で連通する被覆空間をスペーサより外側で粘着テープの外部に連通する空気逃がし手段を備える請求項４に記載のプッシュオンスイッチ。
【請求項６】
金属製の板バネからなり、環状の周辺板部と上膨らみに湾曲する中心板部とこれらを繋ぐ連結板部とを有し、中心板部の押圧操作により、連結板部が下向き傾斜状に反転して回路基板の第１固定接点に接触し、続いて中心板部が下膨らみ状態に反転して回路基板の第２固定接点に接触する可動接点プレートを備え、該可動接点プレートをこの上面から貼り付ける粘着テープにより回路基板上に固定するプッシュオンスイッチにおいて、可動接点プレートを回路基板上に固定する粘着テープは、少なくとも可動接点プレートの周辺板部における連結板部との連設部分の間の周辺板部に対向する箇所に非粘着部を形成したことを特徴とするプッシュオンスイッチ。
【請求項７】
金属製の板バネからなり、環状の周辺板部と上膨らみに湾曲する中心板部とこれらを繋ぐ連結板部とを有し、中心板部の押圧操作により、連結板部が下向き傾斜状に反転して回路基板の第１固定接点に接触し、続いて中心板部が下膨らみ状態に反転して回路基板の第２固定接点に接触する可動接点プレートを備え、該可動接点プレートをこの上面から貼り付ける粘着テープにより回路基板上に固定するプッシュオンスイッチにおいて、前記回路基板上の前記可動接点プレートの周囲に配置するスペーサを備え、該スペーサにより可動接点プレートの周囲に、中心板部の頂上部より低く周辺板部より高い連続又は不連続のテープ貼り付け面を形成し、また可動接点プレートを回路基板上に固定する粘着テープは、少なくとも可動接点プレートの周辺板部における連結板部との連設部分の間の周辺板部に対向する箇所に非粘着部を形成したことを特徴とするプッシュオンスイッチ。
【発明の詳細な説明】
【技術分野】
【０００１】
本発明は、押圧操作により第１、第２スイッチが続いてオンとなる２段動作のプッシュオンスイッチに関する。
【背景技術】
【０００２】
従来、内部に第１固定接点と第２固定接点とを有するスイッチケース内に、金属製の板バネからなり、環状の周辺板部と上膨らみに湾曲する中心板部とこれらを繋ぐ連結板部とを有する可動接点プレートを配備し、中心板部の押圧操作により、連結板部が下向き傾斜状に反転して第１固定接点に接触し（第１スイッチがオン）、続いて中心板部が下膨らみ状態に反転して第２固定接点に接触する（第２スイッチがオン）２段動作のプッシュオンスイッチが知られている（例えば、「特許文献１」参照。）。
【０００３】
また、球面クリックバネからなる可動接点プレートに接触する固定接点を設けたプリント配線回路基板（ＰＣＴ）やフレキシブル回路基板（ＦＰＣ）等の回路基板上に、直接、可動接点プレートをこの上面から貼り付ける粘着テープにより固定し、プッシュオンスイッチの薄型化を図る技術があった（例えば、「特許文献２」参照。）。
【特許文献１】実公平７−５３２３４号公報
【特許文献２】特開２００３−７７３６８号公報
【発明の開示】
【発明が解決しようとする課題】
【０００４】
特許文献１等に記載された２段動作のプッシュオンスイッチに特許文献２等に記載の技術事項を適用し、超薄型の２段動作のプッシュオンスイッチを構成する場合、可動接点プレートの周辺板部に貼り付く粘着テープが、その周辺板部の拡形や縮形等の動作特性（弾性）を劣化させ、第１スイッチをオンにする際の１段目の押圧荷重の増加や第１スイッチオン時の１段目の感触の鈍化（劣化）を招く。したがって、本発明の解決する課題は、金属製の板バネよりなる可動接点プレートの動作特性を劣化することなく、該可動接点プレートを粘着テープにより回路基板上に固定できない点にある。
【課題を解決するための手段】
【０００５】
請求項１に係る発明は、金属製の板バネからなり、環状の周辺板部と上膨らみに湾曲する中心板部とこれらを繋ぐ連結板部とを有し、中心板部の押圧操作により、連結板部が下向き傾斜状に反転して回路基板の第１固定接点に接触し、続いて中心板部が下膨らみ状態に反転して回路基板の第２固定接点に接触する可動接点プレートを備え、該可動接点プレートをこの上面から貼り付ける粘着テープにより回路基板上に固定し、超薄型の２段動作のプッシュオンスイッチを構成する。そして、金属製の板バネよりなる可動接点プレートの動作特性を劣化することなく、該可動接点プレートを回路基板上に固定できるようにするために、回路基板上の可動接点プレートの周囲に配置するスペーサを備え、該スペーサにより可動接点プレートの周囲に、中心板部の頂上部より低く周辺板部より高い連続又は不連続のテープ貼り付け面を形成したことを特徴とする。
【０００６】
請求項１に係る発明において、可動接点プレートの周囲に、連続したテープ貼り付け面を形成する場合は１個の環状のスペーサを用い、不連続のテープ貼り付け面を形成する場合は複数個のスペーサを用いる。
【０００７】
前者の場合は、粘着テープにより覆われる環状のスペーサの内側の被覆空間と外側の被覆空間とを連通接続する空気通路を該スペーサに形成すると共に、スペーサの外側の被覆空間を粘着テープの外部に連通する空気逃がし手段を備えることが望ましい。また空気逃がし手段は前記空気通路のスペーサの外側の被覆空間側の開口部近傍位置に形成することが望ましい。ここで、環状のスペーサに形成する空気通路は、スペーサ上面のテープ貼り付け面上にこの内周縁から外周縁にわたる所定深さの溝を設けることで、スペーサ上面のテープ貼り付け面とこの面に貼り付けられている粘着テープとの間に形成でき、又はスペーサ下面にこの内周縁から外周縁にわたる所定深さの溝を設けることで、スペーサ下面とこの下面に接合している回路基板との間に形成でき、又は環状のスペーサの一箇所を途切れさせることで（前述のスペーサの上面又は下面の溝が反対側の下面又は上面に達する深さに形成された場合と同じ）、スペーサ上面のテープ貼り付け面に貼り付けられている粘着テープとスレーサ下面に接合している回路基板との間に、すなわちスペーサの厚さ寸法の全長にわたって形成でき、又はスぺーサの内周壁から外周壁に貫通する貫通孔をスペーサに設けることで、スペーサの内部に形成できる。また空気逃がし手段は、粘着テープに孔をあけたり、スリットを入れたり、粘着テープに一部非粘着部を形成して、回路基板との間に通路を形成することで、これら孔、スリット、通路がそれぞれスペーサの外側の被覆空間を粘着テープの外部に連通する空気逃がしの役目を果たすことができる。
【０００８】
後者の場合は、粘着テープにより覆われ、複数のスペーサの間で連通する被覆空間をスペーサの外側で粘着テープの外部に連通する空気逃がし手段を備えることが望ましい。またこの空気逃がし手段も、スペーサの間の連通部分に対応する位置に形成することが望ましく、また粘着テープに孔をあけたり、スリットを入れたり、粘着テープに一部非粘着部を形成して、回路基板との間に通路を形成することで、これら孔、スリット、通路がそれぞれスペーサの外側の被覆空間を粘着テープの外部に連通する空気逃がしの役目を果たすことができる。
【０００９】
請求項６に係る本発明は、金属製の板バネからなり、環状の周辺板部と上膨らみに湾曲する中心板部とこれらを繋ぐ連結板部とを有し、中心板部の押圧操作により、連結板部が下向き傾斜状に反転して回路基板の第１固定接点に接触し、続いて中心板部が下膨らみ状態に反転して回路基板の第２固定接点に接触する可動接点プレートを備え、該可動接点プレートをこの上面から貼り付ける粘着テープにより回路基板上に固定し、超薄型の２段動作のプッシュオンスイッチを構成する。そして、可動接点プレートを回路基板上に固定する粘着テープは、少なくとも可動接点プレートの周辺板部における連結板部との連設部分の間の周辺板部に対向する箇所に非粘着部を形成したことを特徴とする。
【００１０】
上記非粘着部を有する粘着テープは、テープ基材の一表面に粘着剤の層を印刷する時、非粘着部の形成予定位置にマスクキング処理を施すことで得ることができ、又はテープ基材の一表面全面に粘着剤の層を形成した粘着テープに対し、非粘着部の形成予定位置に、粘着剤の層を形成していないテープ基材やテープ基材の一表面全面に粘着剤の層を形成した他の粘着テープを貼り合わせることで得ることができ、又はテープ基材に対し、非粘着部の形成予定位置のみカットした両面粘着テープ（テープ基材の両表面に粘着剤の層を形成した粘着テープ）を貼り付けることで得ることができる。
【００１１】
請求項７に係る発明は、金属製の板バネからなり、環状の周辺板部と上膨らみに湾曲する中心板部とこれらを繋ぐ連結板部とを有し、中心板部の押圧操作により、連結板部が下向き傾斜状に反転して回路基板の第１固定接点に接触し、続いて中心板部が下膨らみ状態に反転して回路基板の第２固定接点に接触する可動接点プレートを備え、該可動接点プレートをこの上面から貼り付ける粘着テープにより回路基板上に固定し、超薄型の２段動作のプッシュオンスイッチを構成する。そして、金属製の板バネよりなる可動接点プレートの動作特性を劣化することなく、該可動接点プレートを回路基板上に固定できるようにするために、回路基板上の可動接点プレートの周囲に配置するスペーサを備え、該スペーサにより可動接点プレートの周囲に、中心板部の頂上部より低く周辺板部より高い連続又は不連続のテープ貼り付け面を形成し、また可動接点プレートを回路基板上に固定する粘着テープは、少なくとも可動接点プレートの周辺板部における連結板部との連設部分の間の周辺板部に対向する箇所に非粘着部を形成したことを特徴とする。
【発明の効果】
【００１２】
請求項１に係る発明によれば、回路基板上の可動接点プレートの周囲に配置するスペーサを備え、該スペーサにより可動接点プレートの周囲に、中心板部の頂上部より低く周辺板部より高い連続又は不連続のテープ貼り付け面を形成したことで、可動接点プレートの内側と外側にこれより高いテープ貼り付け面が形成され、粘着テープが周辺板部に貼り付くのを防止できる。これにより、周辺板部の拡形や縮形等の動作特性（弾性）を劣化させるのを防止でき、第１スイッチをオンにする際の１段目の押圧荷重の増加や第１スイッチオン時の１段目の感触の鈍化（劣化）を招くのを防止できる。この結果、金属製の板バネよりなる可動接点プレートの動作特性を劣化することなく、可動接点プレートを粘着テープにより回路基板上に固定でき、動作特性に優れた超薄型の２段動作のプッシュオンスイッチを得ることができるという有利な効果を奏する。
【００１３】
また、環状のスペーサを用いて可動接点プレートの周囲に連続したテープ貼り付け面を形成することで、複数個のスペーサを用いて可動接点プレートの周囲に不連続のテープ貼り付け面を形成することに比べて、部品点数が少なく、可動接点プレートに対するスペーサの位置決めも容易に行える等、生産面で有利であると共に、粘着テープが周辺板部に貼り付くのをより確実に防止する上で有利である。
【００１４】
加えて、粘着テープにより覆われる環状のスペーサの内側の被覆空間と外側の被覆空間とを連通する空気通路を該スペーサに形成すると共に、スペーサの外側の被覆空間を粘着テープの外部に連通する空気逃がし手段を備えることで、可動接点プレート部分の粘着テープに孔やスリットをあけて直接空気を逃がすのとは異なり、間接的に空気を逃がすため、可動接点プレート部分への塵埃等の侵入による接触不良を防止できる。これにより、防塵性を高めつつ動作特性に優れた超薄型の２段動作のプッシュオンスイッチを得ることができるという有利な効果を奏する。尚、この防塵性能の点でも、環状のスペーサを用いて可動接点プレートの周囲に連続したテープ貼り付け面を形成することは、複数個のスペーサを用いて可動接点プレートの周囲に不連続のテープ貼り付け面を形成することに比べて有利である。
【００１５】
また、複数個のスペーサを用いて可動接点プレートの周囲に不連続のテープ貼り付け面を形成することで、可動接点プレートの形状に合わせてスペーサを形成する必要がなく、汎用が利く点で、環状のスペーサを用いて可動接点プレートの周囲に連続したテープ貼り付け面を形成することに比べて有利である。
【００１６】
加えて、粘着テープにより覆われ、複数のスペーサの間で連通する被覆空間をスペーサの外側で粘着テープの外部に連通する空気逃がし手段を備えることで、上記の空気逃がし手段と同様の効果を得ることができる。
【００１７】
請求項６に係る発明によれば、可動接点プレートを回路基板上に固定する粘着テープは、少なくとも可動接点プレートの周辺板部における連結板部との連設部分の間の周辺板部に対向する箇所に非粘着部を形成したことで、粘着テープが周辺板部に貼り付くのを防止でき、しかも第１スイッチオン時に粘着テープが周辺板部に接触したとしても、粘着テープが周辺板部に貼り付くのを防止できる。これにより、周辺板部の拡形や縮形等の動作特性（弾性）を劣化させるのを防止でき、第１スイッチをオンにする際の１段目の押圧荷重の増加や第１スイッチオン時の１段目の感触の鈍化（劣化）を招くのを防止できる。この結果、金属製の板バネよりなる可動接点プレートの動作特性を劣化することなく、可動接点プレートを粘着テープにより回路基板上に固定でき、動作特性に優れた超薄型の２段動作のプッシュオンスイッチを得ることができるという有利な効果を奏する。
【００１８】
請求項７に係る発明によれば、回路基板上の可動接点プレートの周囲に配置するスペーサを備え、該スペーサにより可動接点プレートの周囲に、中心板部の頂上部より低く周辺板部より高い連続又は不連続のテープ貼り付け面を形成し、また可動接点プレートを回路基板上に固定する粘着テープは、少なくとも可動接点プレートの周辺板部における連結板部との連設部分の間の周辺板部に対向する箇所に非粘着部を形成したことで、粘着テープが周辺板部に貼り付くのを防止できると共に、第１スイッチオン時に粘着テープが周辺板部に接触したとしても、粘着テープが周辺板部に貼り付くのを防止できる。これにより、周辺板部の拡形や縮形等の動作特性（弾性）を劣化させるのを防止でき、しかも周辺板部に粘着テープが密着してそのテープテンションにより周辺板部の拡形や縮形等の動作特性（弾性）が劣化するのも防止でき、第１スイッチをオンにする際の１段目の押圧荷重の増加や第１スイッチオン時の１段目の感触の鈍化（劣化）を招くのを防止できる。この結果、金属製の板バネよりなる可動接点プレートの動作特性を劣化することなく、可動接点プレートを粘着テープにより回路基板上に固定でき、動作特性に優れた超薄型の２段動作のプッシュオンスイッチを得ることができるという有利な効果を奏する。
【発明を実施するための最良の形態】
【００１９】
以下、本発明の実施の形態を図面に基づいて説明する。図１は本実施形態の第１実施例を示すプッシュオンスイッチの平面図、図２は第１実施例のプッシュオンスイッチの可動接点プレートの側面図、図３は第１実施例のプッシュオンスイッチの組み立て前の分解状態を示す側面図、図４は第１実施例のプッシュオンスイッチの組み立て状態を示す中央横断面図、図５は第１実施例のプッシュオンスイッチの組み立て状態を示す中央縦断面図、図６は第１実施例のプッシュオンスイッチの動作を示す中央横断面図である。
【００２０】
第１実施例のプッシュオンスイッチの概略を説明する。このプッシュオンスイッチは、プリント配線回路基板（ＰＣＴ）やフレキシブル回路基板（ＦＰＣ）等の回路基板８に第１固定接点１１，１１と第２固定接点１２を設け、この回路基板８の上に、金属製の板バネからなり、第１固定接点１１に接触する第１可動接点５，５と第２固定接点１２に接触する第２可動接点６を有する２段動作の可動接点プレート１を配置すると共に、この可動接点プレート１の周囲にスペーサ２０を配置し、これら可動接点プレート１及びスペーサ２０をこれらの上面から貼り付ける１枚の絶縁性の粘着テープ９により回路基板８上に一体的に固定して構成したものである。すなわち押圧操作により第１、第２スイッチが続いてオンとなる超薄型の２段動作のプッシュオンスイッチに構成したものである。
【００２１】
続いて、第１実施例のプッシュオンスイッチの部品構成について詳細に説明すると、まず、可動接点プレート１は、１枚の薄い平らな金属製の板バネ材をプレス加工することにより形成されるもので、環状の周辺板部２と上膨らみに湾曲する中心板部３とこれらを繋ぐ幅狭の一対の連結板部４，４とを有する。周辺板部２は長方形状の環状枠形に形成するもので、周辺板部２の一対の長手辺部２ａ，２ａおよび一対の短手辺部２ｂ，２ｂ、すなわち周辺板部２の全周を外側縁から内側縁に向かって上向きに傾斜させている。また各短手辺部２ｂ，２ｂの両端部と中間部の外側縁を短手辺部２ｂ，２ｂの傾斜に沿って斜め下方に部分的に突出させて可動接点プレート１の接地部２ｃ，２ｃ，２ｃ，２ｃ，２ｄ，２ｄを形成している。そして、可動接点プレート１の４隅となる周辺板部２の４隅接地部２ｃ，２ｃ，２ｃ，２ｃと、長手辺部２ａ，２ａに沿う周辺板部２（可動接点プレート１）の長手方向中心線Ｘ上にある一対の接地部２ｄ，２ｄの合計６箇所の接地部にて、回路基板８上、すなわち平坦な設置面に対して周辺板部２（可動接点プレート１）を所定高さ浮き上がらせた状態で支持する。さらに各長手辺部２ａ，２ａの中間部にはそれぞれ、短手辺部２ｂ，２ｂに沿う周辺板部２（可動接点プレート１）の短手方向中心線Ｙが通過する部分を部分的に上方に突出させて台形状の屈曲部２ｅ，２ｅを形成している。各屈曲部２ｅ，２ｅは周辺板部２を長手方向に伸縮可能とし、その上面は後述する中心板部３上面の曲面（球面）と略面一になるように形成されている。
【００２２】
また、一対の前記連結板部４，４は前記長手方向中心線Ｘ上において周辺板部２内側縁と中心板部３外周縁とを繋ぐもので、一端が周辺板部２の各短手辺部２ｂ，２ｂの中間部内側縁に繋がれて、周辺板部２（可動接点プレート１）の中心Ｏ（長手方向中心線Ｘと短手方向中心線Ｙの交点）方向に延出され、他端が中心板部３の外周縁に繋がれている。また各連結板部４，４はこの一端を繋ぐ各短手辺部２ｂ，２ｂの傾斜に沿って周辺板部２から中心板部３に向かって上向きに傾斜させ、中心板部３を周辺板部２より所定高さ持ち上げた状態で支持する。各連結板部４，４の傾斜は周辺板部２の上り傾斜の各短手辺部２ｂ，２ｂと上膨らみに湾曲する上り傾斜の中心板部３とを段差なく略面一状態で繋ぐ角度に形成されている。
【００２３】
さらに、前記中心板部３は周辺板部２の各短手辺部２ｂ，２ｂ内側縁の相対間隔より短く、各長手辺部２ａ，２ａ内側縁の相対間隔と略同じ又はその相対間隔より長い直径Ｒを有し、かつ、上膨らみに湾曲する円板３ａの縁部を、周辺板部２の各長手辺部２ａ，２ａと平行で各長手辺部２ａ，２ａ内側縁の相対間隔より狭い間隔を有する２直線（平行線）Ｌ１，Ｌ２で切り落とした小判形に形成するもので、平面視で、中心板部３における直線状の各切り落とし端縁が周辺板部２の各長手辺部２ａ，２ａに沿い、円弧状の非切り落とし端縁が周辺板部２の各短手辺部２ｂ，２ｂに対向する向き（姿勢）で、周辺板部２の内側に同心状に中心板部３を設け、この中心板部３の円弧状の非切り落とし端縁の中間部を周辺板部２の各短手辺部２ｂ，２ｂの中間部内側縁に一対の前記連結板部４，４を介して繋ぎ、平面視で周辺板部２の内側同心位置に中心板部３を支持している。
【００２４】
可動接点プレート１は上記のように構成するもので、前記一対の連結板部４，４の中心板部３との繋ぎ部分をそれぞれ第１可動接点５，５とし、前記中心板部３の中央部を第２可動接点６としている。
【００２５】
スペーサ２０は、絶縁材料よりなり、前記可動接点プレート１の周囲を囲うように全体として前記可動接点プレート１の周辺板部２より一回り大きい長方形状の環状枠形に形成するもので、枠部の断面が矩形状に形成されている。またスペーサ２０の枠部の厚さ寸法は、前記回路基板８上にスペーサ２０をこの下面を接合させた状態で配置した時に、そのスペーサ２０の上面が、前記回路基板８上に６箇所の接地部２ｃ，２ｃ，２ｃ，２ｃ，２ｄ，２ｄを接合させた状態で配置した前記可動接点プレート１における、中心板部３の頂上部（中心部）より低く周辺板部２の各屈曲部２ｅ，２ｅより高い寸法に設定し、このスペーサ２０の上面により可動接点プレート１の周囲に、中心板部２の頂上部より低く周辺板部２の各屈曲部２ｅ，２ｅより高い連続した所定幅のテープ貼り付け面２１を形成するように構成している。
【００２６】
また、スペーサ２０の枠部における一対の長手辺部のうち、一方の長手辺部の長さ方向中央部（可動接点プレート１の短手方向中心線Ｙの延長線上）の上面（テープ貼り付け面２１）には、この内周縁から外周縁にわたって直線状に所定深さの細い溝２２を形成し、後述する空気通路をスペーサ２０に形成するように構成している。
【００２７】
さらに、スペーサ２０の上面側の内周側角部と外周側角部には、所定半径の丸みが付けられ、スペーサ２０の上面側の内周側角部と外周側角部での粘着テープ９の破断等を防止するように構成している。
【００２８】
粘着テープ９は、可撓性、弾性、絶縁性を兼ね備える樹脂フィルムよりなるテープ基材９ａの一表面全面に粘着剤の層９ｂが形成されており、回路基板８上に配置される前記可動接点プレート１とこの周囲に配置される前記スペーサ２０を一体的に覆い、かつ外周縁部を前記スペーサ２０の外周囲にて回路基板８上に貼り付けることができる大きさを有する矩形状に形成されている。
【００２９】
次に、第１実施例のプッシュオンスイッチの組み立てについて説明すると、プリント配線回路基板（ＰＣＢ）やフレキシブル回路基板（ＦＰＣ）等の回路基板８における第１固定接点１１，１１及び第２固定接点１２の露出表面に、第１固定接点１１，１１に第１可動接点５，５が対向し、第２固定接点１２に第２可動接点６が対向するように、前記可動接点プレート１を配置すると共に、この可動接点プレート１を囲うように、回路基板８上の可動接点プレート１の周囲にスペーサ２０を配置する。この状態で、可動接点プレート１及びスペーサ２０を上方から一体的に覆うように、粘着テープ９を可動接点プレート１及びスペーサ２０の上面から回路基板８に緊張状態で貼り付け、可動接点プレート１及びスペーサ２０を回路基板８上に直接一体的に位置固定することにより、押圧操作により第１、第２スイッチが続いてオンとなる超薄型の２段動作のプッシュオンスイッチが組み立てられる。
【００３０】
上記のように組み立てられた第１実施例のプッシュオンスイッチは、回路基板８上の可動接点プレート１の周囲に配置したスペーサ２０の上面により、可動接点プレート１の周囲に、中心板部３の頂上部より低く周辺板部２の各屈曲部２ｅ，２ｅより高い連続したテープ貼り付け面２１が形成されているため、粘着テープ９は、粘着テープ９の中央部が中心板部３の頂上部（最も高いテープ貼り付け面）に貼り付けられ、その次に中心板部３の頂上部に次いで高いスペーサ２０上面のテープ貼り付け面２１に貼り付けられ、最後に粘着テープ９の外周縁部が回路基板８上（スペーサ２０上面のテープ貼り付け面２１に次いで低いテープ貼り付け面、すなわち最も低いテープ貼り付け面）に貼り付けられ、中心板部３とスペーサ２０の間に位置し、かつ中心板部３の頂上部とスペーサ２０上面のテープ貼り付け面２１より低い周辺板部２に対しては、この上方で隙間をあけた状態で張設されて貼り付かない状態で、可動接点プレート１及びスペーサ２０を回路基板８上に一体的に位置固定することとなる。
【００３１】
また、上記のように組み立てられた第１実施例のプッシュオンスイッチには、スペーサ２０の内側に、このスペーサ２０の内周壁と回路基板８と粘着テープ９とで囲われる被覆空間２３が形成され、この被覆空間２３に可動接点プレート１が収容されると共に、スペーサ２０の外側には、このスペーサ２０の外周壁と回路基板８とスペーサ２０のテープ貼り付け面２１と回路基板８との間に傾斜状に張設される粘着テープ９とで囲われる被覆空間２４が形成され、さらにスペーサ２０に形成された前記溝２２により、スペーサ２０上面のテープ貼り付け面２１とこの面に貼り付けられている粘着テープ９との間に、スペーサ２０の内側の被覆空間２３と外側の被覆空間２４とを連通接続する空気通路２５が形成される。
【００３２】
そして、上記のように組み立てられた第１実施例のプッシュオンスイッチにおける、スペーサ２０の外側の被覆空間２４を粘着テープ９の外部に連通する空気逃がし手段２６を、前記空気通路２５のスペーサ２０の外側の被覆空間２４側の開口部近傍位置に形成し、可動接点プレート１を収容するスペーサ２０の内側の被覆空間２３の空気を、スペーサ２０の外側の被覆空間２４から間接的に粘着テープ９の外部に逃がすように構成している。尚、空気逃がし手段２６は、粘着テープ９に孔をあけたり、スリットを入れたり、粘着テープに一部非粘着部を形成して、回路基板との間に通路を形成することで、これら孔、スリット、通路がそれぞれスペーサの外側の被覆空間を粘着テープの外部に連通する空気逃がしの役目を果たすことができる。本実施例では、空気逃がし手段２６の一例としてスリットを図示している。
【００３３】
次に、第１実施例のプッシュオンスイッチの動作、すなわち可動接点プレート１の動作について、図６を参照して説明する。この可動接点プレート１は、初期状態では図６の（Ａ）に示すように、第１固定接点１１，１１および第２固定接点１２に対しては離間対向している。そして、プッシュオンスイッチの第１スイッチをオン作動させるために、可動接点プレート１の中心板部３を粘着テープ９の上から押圧操作体１３により押圧すると、まず、中心板部３が上膨らみに湾曲した状態のまま押し下げられ、この押し下げに伴って、周辺板部２の各長手辺部２ａ，２ａが下方に撓み変形しながら、周辺板部２から中心板部３に向かって上向きに傾斜している各連結板部４，４が、中心板部３との繋がり部分で屈曲して倒伏して行く。そして、各連結板部４，４の倒伏初期段階では、長方形環状に形成された周辺板部２の各短手辺部２ｂ，２ｂを内側から外側に押し、各長手辺部２ａ，２ａの中間部に形成された各屈曲部２ｅ，２ｅを拡開変形させながら、周辺板部２を長手方向に伸長させる。次いで、各連結板部４，４が水平姿勢を超えた以降では、周辺板部２が長手方向に伸長した分だけ収縮しようとする弾性により各連結板部４，４は急激に下向き傾斜姿勢に反転（弾性変形）して、この各連結板部４，４と中心板部３との繋がり部分の第１可動接点５，５が、良好な感触（クリック感）を伴って図６の（Ｂ）に示すように回路基板８の第１固定接点１１，１１、すなわち周辺板部２の支持面と同一平面上の第１固定接点１１，１１に接触して、第１スイッチがオン状態となる。ここで、一対の連結板部４，４は前記長手方向中心線Ｘ上において周辺板部２内側縁と中心板部３外周縁とを繋いでおり、１段目の動作ストロークを十分に確保することができ、１段目の感触をさらに良好にすることができる。しかも、この１段目の良好な感触を得るための十分な動作ストロークを確保しても幅寸法は大きくならず、コンパクトにできる。また、上記のように、粘着テープ９が周辺板部２に貼り付いていないため、周辺板部２の拡形や縮形等の本来の動作特性（弾性）を十分に発揮させることができ、本来の１段目の良好な感触を得ることができる。
【００３４】
そして、上記の第１スイッチのオン状態からさらに押圧操作体１３により可動接点プレート１の中心板部３を押圧すると、各連結板部４，４と中心板部３との繋がり部分の第１可動接点５，５で支持されている中心板部３の中央部が押圧力に耐え切れなくなったときに急激に下膨らみ状態に反転し、良好な感触を伴いながら下膨らみ状態に反転（弾性変形）して、この中心板部３の中央部の第２可動接点６が、良好な感触を伴って図６の（Ｃ）に示すように回路基板８の第２固定接点１２、すなわち周辺板部２の支持面と同一平面上の第２固定接点１２に接触して、第２スイッチがオン状態となる。
【００３５】
この後、押圧操作体１３による可動接点プレート１の中心板部３への押圧力を解除すると、まず、中心円板部３の中央部が弾性により上膨らみ状態に復元することにより、第２可動接点６が第２固定接点１２から離れて第２スイッチがオフ状態の図６の（ｂ）の状態に戻り、続いて各連結板部４，４が、上向き傾斜状態に復元すると共に、周辺板部２が長手方向に伸長した分だけ収縮することにより、各第１可動接点５，５がそれぞれ第１固定接点１１，１１から離れて図６の（Ａ）に示す第１スイッチおよび第２スイッチが共にオフ状態（初期状態）に復帰するものである。
【００３６】
上記のように、プッシュオンスイッチの第１スイッチ、次いで第２スイッチがオンとなる時には、スペーサ２０の内側の被覆空間２３の面積が縮小し、プッシュオンスイッチの内圧が上昇しようとするが、スペーサ２０の内側の被覆空間２３の面積縮小に伴ってスペーサ２０の内側の被覆空間２３内の空気を、このスペーサ２０の内側の被覆空間２３に空気通路２５を介して連通接続しているスペーサ２０の外側の被覆空間２３から空気逃がし手段２６を介して間接的に粘着テープ９の外部に逃がすため、プッシュオンスイッチの内圧は上昇することなく、１段目及び２段目共に良好な感触を得ることができる。
【００３７】
図７は本実施形態の第２実施例のプッシュオンスイッチの平面図、図８は第２実施例のプッシュオンスイッチの組み立て状態を示す中央縦断面図、図９は第２実施例のプッシュオンスイッチの第１スイッチオン時の状態を示す中央縦断面図、図１０は第２実施例のプッシュオンスイッチに使用する粘着テープ構造を示す断面図である。第２実施例のプッシュオンスイッチは上記第１実施例のプッシュオンスイッチと粘着テープの構造が異なるだけで、その他の構造は全く同じであるため、同一構造部分には同一符号を付してその説明を省略する。
【００３８】
第２実施例のプッシュオンスイッチに使用している粘着テープ１９は、少なくとも可動接点プレート１の周辺板部２における連結板部４，４との連設部分の間の周辺板部２に対向する箇所に非粘着部２７，２７を形成した点が、第１実施例のプッシュオンスイッチに使用した粘着テープ９と相違している。この非粘着部２７，２７は、詳しくは、周辺板部２における長手方向中心線Ｘ中心とする対称位置に２箇所形成され、１つの非粘着部２７が、一方の長手辺部２ａとこの両端の短手辺部２ｂ，２ｂの連結板部４，４との連設部分の少し手前（長さ方向の中央部の少し手前）までの周辺板部２に対向する箇所、すなわち周辺板部２の短手辺部２ｂ，２ｂの中央部を除く略半分の部分に対向する箇所に形成されている。また各非粘着部２７，２７は、簡単な形状で容易に形成でき、また粘着テープ１９の貼り付け時の多少の位置ずれにも対処できて、位置合わせも容易に行えるように、内側の１片中央部が中心板部３の切り落とし端縁部にかかり、かつ残りの３片がスペーサ２０の内周側縁部にかかるような、少し余裕を持った大きさの長方形状に形成されている。図７の内側２つの二点鎖線の長方形で囲った部分がその非粘着部２７，２７を示している。
【００３９】
上記のような非粘着部２７，２７を有する粘着テープ１９としては、例えば、図１０の（Ａ）（Ｂ）（Ｃ）に示すようなテープ構造の粘着テープ１９Ａ，１９Ｂ，１９Ｃが使用できる。図１０の（Ａ）に示す粘着テープ１９Ａは、可撓性、弾性、絶縁性を兼ね備える樹脂フィルムよりなるテープ基材１９ａの一表面全面に粘着剤の層１９ｂが形成されている粘着テープ１９ｃに対し、非粘着部２７，２７の形成予定位置に、粘着剤の層を形成していない同材料のテープ基材１９ｄやそのテープ基材１９ｄの一表面全面に粘着剤の層を形成した他の粘着テープ１９ｅを貼り合わせて、非粘着部２７，２７を形成したものである。図１０の（Ｂ）に示す粘着テープ１９Ｂは、可撓性、弾性、絶縁性を兼ね備える樹脂フィルムよりなるテープ基材１９ａの一表面全面に粘着剤の層１９ｂを形成する時、非粘着部２７，２７の形成予定位置にマスクキング処理を施して、非粘着部２７，２７を形成したものである。図１０（Ｃ）に示す粘着テープ１９Ｃは、可撓性、弾性、絶縁性を兼ね備える樹脂フィルムよりなるテープ基材１９ａに対し、非粘着部２７，２７の形成予定位置のみカットした両面粘着テープ１９ｂ（テープ基材の両表面に粘着剤の層を形成した粘着テープ）を貼り付けて、非粘着部２７，２７を形成したものである。
【００４０】
そして、上記のような非粘着部２７，２７を有する粘着テープ１９を用いて、可動接点プレート１及びスペーサ２０を回路基板８上に直接一体的に位置固定して、プッシュオンスイッチを組み立てることにより、図９に示すように、プッシュオンスイッチの第１スイッチオン時に、粘着テープ１９が周辺板部２に接近しても、その周辺板部２には粘着テープ１９の非粘着部２７，２７が対向しており、例え周辺板部２の上面、特に屈曲部２ｅ，２ｅの上面に粘着テープ１９が接触したとしても、粘着テープ１９が周辺板部２に貼り付いたり粘着剤が付着するのを防止でき、周辺板部２の拡形や縮形等の本来の動作特性（弾性）を十分に発揮させることができ、本来の１段目の良好な感触を得ることができる。
【００４１】
以上のように本実施形態の第１実施例のプッシュオンスイッチ並びに第２実施例のプッシュオンスイッチは、環状の周辺板部２と上膨らみに湾曲する中心板部３とこれらを繋ぐ連結板部４，４とを有する可動接点プレート１を備え、可動接点プレート１は、前記周辺板部２は長方形の環状に形成し、長方形環状の周辺板部２の全周を外側縁から内側縁に向かって上向きに傾斜させ、その４隅に接地部２ｃ，２ｃ，２ｃ，２ｃを形成し、また長手辺部２ａ，２ａの中間部に上方に突出する屈曲部２ｅ，２ｅを形成し、前記連結板部４，４は一対で長方形環状の前記周辺板部２の長手辺部２ａ，２ａに沿う中心線Ｘ上において周辺板部２内縁と中心板部３外縁とを繋ぎ、各連結板部４，４を周辺板部２から中心板部３に向かって上向きに傾斜させ、中心板部３の押圧操作により、一対の連結板部４，４が下向き傾斜状態に反転して回路基板８の第１固定接点１１，１１、すなわち長方形環状の周辺板部２の支持面と同一平面上の第１固定接点１１，１１に接触し、続いて一対の連結板部４，４を支点に中心板部３の中央部が下膨らみ状態に反転して回路基板８の第２固定接点１２、すなわち長方形環状の周辺板部２の支持面と同一平面上の第２固定接点１２に接触するものである。また前記中心板部３は、長方形環状の周辺板部２の短手辺部２ｂ，２ｂ内側縁の相対間隔より短く、長手辺部２ａ，２ａ内側縁の相対間隔より長い直径Ｒを有する円板３ａの縁部を、長手辺部２ａ，２ａと平行で長手辺部２ａ，２ａ内側縁の相対間隔より狭い２直線Ｌ１，Ｌ２で切り落とした小判形に形成するものである。そして、周辺板部２を長方形の環状に形成したものであるため、可動接点プレート１の幅寸法をコンパクトにできるものであり、また一対の連結板部４，４が感触を伴って下向き傾斜状態に反転して回路基板８の第１固定接点１１，１１、すなわち長方形環状の周辺板部２の支持面と同一平面上の第１固定接点１１，１１に接触する１段目の動作に続いて、一対の連結板部４，４を支点に中心板部３の中央部が感触を伴って下膨らみ状態に反転して回路基板８の第２固定接点１２、すなわち長方形環状の周辺板部２の支持面と同一平面上の第２固定接点１２に接触する２段目の動作が行われるため、回路基板８の平坦な固定接点形成面の上でも、１段目および２段目の動作をそれぞれ良好な感触を伴って行わせることができるものであり、さらに２段目の動作となる中心板部３については、この形状を小判形に形成したものであるため、高寿命（高耐久性）を実現しながらも幅方向の寸法をコンパクトにできるものである。この結果、プリント配線回路基板（ＰＣＢ）やフレキシブル回路基板（ＦＰＣ）等の回路基板８の平坦な固定接点形成面の上で、幅寸法をコンパクトにしながら、良好な感触、高寿命を得ることができる。また前記可動接点プレート１を、回路基板８の平坦な上面に配置し、上面から貼り付ける粘着テープ９、１９によって固定したものであるため、回路基板８の平坦な固定接点形成面の上で、幅寸法をコンパクトにしながら、良好な感触、高寿命を得ることができる構造簡単で安価、かつ、超薄型の２段動作のプッシュオンスイッチ構造にできるものであり、このプッシュオンスイッチは薄型の電子機器の回路基板８上や同機器の幅寸法が小さい側面でも構成可能となるものである。
【００４２】
また、回路基板８上の可動接点プレート１の周囲に配置する環状のスペーサ２０を備え、該スペーサ２０により可動接点プレート１の周囲に、中心板部３の頂上部より低く周辺板部２より高い連続したテープ貼り付け面２０を形成したことで、可動接点プレート１の内側と外側にこれより高いテープ貼り付け面が形成され、粘着テープ９，１９が周辺板部２に貼り付くのを防止できる。これにより、周辺板部２の拡形や縮形等の動作特性（弾性）を劣化させるのを防止でき、第１スイッチをオンにする際の１段目の押圧荷重の増加や第１スイッチオン時の１段目の感触の鈍化（劣化）を招くのを防止できる。この結果、金属製の板バネよりなる可動接点プレート１の動作特性を劣化することなく、可動接点プレート１を粘着テープ９，１９により回路基板８上に固定でき、動作特性に優れた超薄型の２段動作のプッシュオンスイッチを得ることができる。
【００４３】
また、環状のスペーサ２０を用いて可動接点プレート１の周囲に連続したテープ貼り付け面２０を形成することで、複数個のスペーサを用いて可動接点プレート１の周囲に不連続のテープ貼り付け面を形成することに比べて、部品点数が少なく、可動接点プレート１に対するスペーサ２０の位置決めも容易に行える等、生産面で有利であると共に、粘着テープ９，１９が周辺板部２に貼り付くのをより確実に防止する上で有利である。
【００４４】
加えて、粘着テープ９，１９により覆われる環状のスペーサ２０の内側の被覆空間２３と外側の被覆空間２４とを連通する空気通路２５を該スペーサ２０に形成すると共に、スペーサ２０の外側の被覆空間２４を粘着テープ９，１９の外部に連通する空気逃がし手段２６を備えることで、可動接点プレート１部分の粘着テープ９，１９に孔やスリットをあけて直接空気を逃がすのとは異なり、間接的に空気を逃がすため、可動接点プレート１部分への塵埃等の侵入による接触不良を防止できる。これにより、防塵性を高めつつ動作特性に優れた超薄型の２段動作のプッシュオンスイッチを得ることができる。尚、この防塵性能の点でも、環状のスペーサ２０を用いて可動接点プレート１の周囲に連続したテープ貼り付け面２０を形成することは、複数個のスペーサを用いて可動接点プレート１の周囲に不連続のテープ貼り付け面を形成することに比べて有利である。
【００４５】
さらに、可動接点プレート１を回路基板８上に固定する粘着テープ１９は、少なくとも可動接点プレート１の周辺板部２における連結板部４，４との連設部分の間の周辺板部２に対向する箇所に非粘着部２７，２７を形成することで、第１スイッチオン時に粘着テープ１９が周辺板部２に接触したとしても、粘着テープ１９が周辺板部２に貼り付くのを防止できる。これにより、周辺板部２の拡形や縮形等の動作特性（弾性）を劣化させるのを防止でき、第１スイッチをオンにする際の１段目の押圧荷重の増加や第１スイッチオン時の１段目の感触の鈍化（劣化）を招くのを防止できる。この結果、金属製の板バネよりなる可動接点プレート１の動作特性を劣化することなく、可動接点プレート１を粘着テープ１９により回路基板８上に固定でき、動作特性に優れた超薄型の２段動作のプッシュオンスイッチを得ることができる。
【００４６】
尚、可動接点プレート１を回路基板８上に固定する粘着テープとして、少なくとも可動接点プレート１の周辺板部２における連結板部４，４との連設部分の間の周辺板部２に対向する箇所に非粘着部２７，２７を形成する粘着テープ１９を使用することで、上記のよううなスペーサ２０を備えなくとも、粘着テープ１９が周辺板部２に貼り付くのを防止できるが、周辺板部２に密着する粘着テープ１９のテープテンションでも、周辺板部２の拡形や縮形等の動作特性（弾性）が劣化する場合があるため、上記スペーサ２０と非粘着部２７，２７を形成した粘着テープ１９を併用することは有効である。
【図面の簡単な説明】
【００４７】
【図１】本実施形態の第１実施例を示すプッシュオンスイッチの平面図である。
【図２】第１実施例のプッシュオンスイッチの可動接点プレートの側面図である。
【図３】第１実施例のプッシュオンスイッチの組み立て前の分解状態を示す側面図である。
【図４】第１実施例のプッシュオンスイッチの組み立て状態を示す中央横断面図である。
【図５】第１実施例のプッシュオンスイッチの組み立て状態を示す中央縦断面図である。
【図６】第１実施例のプッシュオンスイッチの動作を示す中央横断面図である。
【図７】本実施形態の第２実施例のプッシュオンスイッチの平面図である。
【図８】第２実施例のプッシュオンスイッチの組み立て状態を示す中央縦断面図である。
【図９】第２実施例のプッシュオンスイッチの第１スイッチオン時の状態を示す中央縦断面図である。
【図１０】図１０は第２実施例のプッシュオンスイッチに使用する粘着テープ構造を示す断面図である。
【符号の説明】
【００４８】
１    可動接点プレート
２    周辺板部
２ａ  長手辺部
２ｂ  短手辺部
２ｃ  接地部
２ｄ  接地部
２ｅ  屈曲部
３    中心板部
４    連結板部
５    第１可動接点
６    第２可動接点
８    回路基板
９，１９    粘着テープ
１１  第１固定接点
１２  第２固定接点
２０  スペーサ
２１  テープ貼り付け面
２２  溝
２３  被覆空間（スペーサの内側の）
２４  被覆空間（スペーサの外側の）
２５  空気通路
２６  空気逃がし手段
２７  非粘着部
【図１】
2005276499.tif 000003
【図２】
2005276499.tif 000004
【図３】
2005276499.tif 000005
【図４】
2005276499.tif 000006
【図５】
2005276499.tif 000007
【図６】
2005276499.tif 000008
【図７】
2005276499.tif 000009
【図８】
2005276499.tif 000010
【図９】
2005276499.tif 000011
【図１０】
2005276499.tif 000012